(57)【要約】【課題】本発明の目的は蓋部で針ユニットを押し込まなくても、針ユニットのみを容器内に廃棄できるペン型注射器の針ユニットの廃棄用容器を提供することである。【解決手段】針２５と当該針の一部を囲繞する針ハウジング２６とを有する針ユニット２７がネジにより本体ケース３０に着脱され、患者が自分で薬液を投与するのに適したペン型注射器の前記針ユニット２７の廃棄用容器１において、容器１は、針ユニット２７を挿入孔１７に挿入し、針ユニット２７の回転を規制した状態で本体ケース３０を回転させ、挿入孔１７に針ユニット２７を挿入したままの状態で針ユニット２７を本体ケース３０から分離するための回転規制部２３を備え、挿入孔１７の軸線Ｓは容器１の外から内に向って斜めに設定されている。【選択図】図１
2018187138.tif 000002
【特許請求の範囲】
【請求項１】
針２５と当該針の一部を囲繞する針ハウジング２６とを有する針ユニット２７がネジにより本体ケース３０に着脱され、患者が自分で薬液を投与するのに適したペン型注射器の前記針ユニット２７の廃棄用容器１において、前記容器１は、
前記針ユニット２７を収容する収容部１２と、
前記収容部１２の上部に配置された蓋部１０と、
前記蓋部１０に形成され前記針ユニット２７を前記収容部１２内に挿入する挿入孔１７と、
前記針ユニット２７を前記挿入孔１７に挿入し、前記針ユニット２７の回転を規制した状態で前記本体ケース３０を回転させ、前記挿入孔１７に前記針ユニット２７を挿入したままの状態で前記針ユニット２７を前記本体ケース３０から分離するための回転規制部とを備え、
前記挿入孔１７の軸線Ｓは前記容器１の外から内に向って斜めに設定され、
前記挿入孔１７は前記容器１の外から内に向かって斜めに挿入された前記針ハウジング２６の外周面Ｆが嵌合する第１および第２凹面５１，５２で定義され、
前記第１凹面５１は上方に向う凹面を形成し、
前記第２凹面５２は下方に向う凹面を形成し、
前記第１または第２凹面５１，５２の少なくとも一方に前記回転規制部が設けられている、容器１。
【請求項２】
請求項１において、前記回転規制部は前記第２凹面５２から突出して前記針ハウジング２６に係合する係合部５３である、容器１。
【請求項３】
請求項２において、前記蓋部１０の下面１１には、前記蓋部１０の下面１１から前記収容部１２に向って突出し、前記第２凹面５２の周囲の少なくとも一部を囲い前記収容部１２内の針ユニット２７が前記挿入孔１７から突出するのを抑制する抑制部が一体に形成されている、容器１。
【請求項４】
請求項３において、前記抑制部は前記第１凹面５１を形成する湾曲部５０と、前記湾曲部５０が配置された部位に対峙して配置された第１立壁６１と、前記湾曲部５０と第１立壁６１との間に配置された第２および第３立壁６２，６３とを備える、容器１。
【請求項５】
請求項３もしくは４において、前記湾曲部５０が配置された部位に対峙して配置された第１立壁６１には、前記針２５との干渉を防止するための切り欠き６１ｃが設けられている、容器１。
【請求項６】
請求項１〜５のいずれか１項において、前記第１凹面５１を形成する湾曲部５０の先端には、前記挿入孔１７に向って突出し前記針ハウジング２６の上端面を係合させるための円弧状の突条５０ｔが形成されている、容器１。
【請求項７】
請求項１〜６のいずれか１項において、前記挿入孔１７は前記蓋部１０に設けられた廃棄用の唯一の孔である、容器１。
【請求項８】
請求項１〜７のいずれか１項において、前記挿入孔１７は前記蓋部１０の一部として収容部１２に装着されたアタッチメント７０に形成されている、容器１。
【請求項９】
請求項２において、前記蓋部１０の内面には前記係合部５３に直線的に連なる第１リヴ５３１が設けられ、前記蓋部１０の上面には前記第１リヴ５３１の反対側に第２リヴ５３２が設けられている、容器１。
【請求項１０】
請求項１〜９のいずれか１項において、前記第１凹面５１と前記第２凹面５２は、前記軸線Ｓ方向に互いにオフセットされて配置されている、容器１。
【発明の詳細な説明】
【技術分野】
【０００１】
本発明はペン型注射器の針ユニットの廃棄用容器に関するものである。
【背景技術】
【０００２】
従来より、たとえば、インスリンや成長ホルモンを患者が自分で注射する（自己注射）するためのペン型注射器が提案されている（特許文献参照）。
前記患者が自己注射を行えるようになるまで、看護師が前記ペン型注射器を用いて患者に注射方法を教えている。かかる場合には、前記注射を行った後、衛生上の観点から、１回の注射ごとにペン型注射器の針ユニットの交換を看護師が行っている。使用済の針ユニットは、医療廃棄物用の容器に廃棄される（特許文献参照）。
【先行技術文献】
【特許文献】
【０００３】
【特許文献１】ＪＰ２０１３−１６９２９０  Ａ（フロントページ）
【特許文献２】ＪＰ２００９−２１９８３３  Ａ（フロントページ）
【特許文献３】ＪＰ２０１６−２０９１８４  Ａ（フロントページ）
【０００４】
前記特許文献１には、針ユニットをペン型注射器の本体ケースから離脱させ、当該針ユニットを容器内に落下させる技術が開示されている。
【０００５】
すなわち、同文献１の発明では、まず、前記針ユニットを挿入孔に挿入し、回転規制部により前記針ユニットの回転を規制した状態で前記本体ケースを回転させ、前記挿入孔に前記針ユニットを挿入したままの状態で前記針ユニットを本体から分離する。ついで、閉止部材を閉止して押込部を前記針ユニットに当接させて、前記針ユニットを下方に押し込んで前記挿入孔から前記容器内に落下させる。
【発明の概要】
【０００６】
しかし、同文献１の発明では、針ユニットに当接した押込部が容器の外蓋に露出する。したがって、この点において衛生上、好ましいと云えない。
【０００７】
したがって、本発明の目的は蓋部で針ユニットを押し込まなくても、針ユニットのみを容器内に廃棄できるペン型注射器の針ユニットの廃棄用容器を提供することである。
【０００８】
本発明は針２５と当該針の一部を囲繞する針ハウジング２６とを有する針ユニット２７がネジにより本体ケース３０に着脱され、患者が自分で薬液を投与するのに適したペン型注射器の前記針ユニット２７の廃棄用容器１において、前記容器１は、
前記針ユニット２７を収容する収容部１２と、
前記収容部１２の上部に配置された蓋部１０と、
前記蓋部１０に形成され前記針ユニット２７を前記収容部１２内に挿入する挿入孔１７と、
前記針ユニット２７を前記挿入孔１７に挿入し、前記針ユニット２７の回転を規制した状態で前記本体ケース３０を回転させ、前記挿入孔１７に前記針ユニット２７を挿入したままの状態で前記針ユニット２７を前記本体ケース３０から分離するための回転規制部とを備え、
前記挿入孔１７の軸線Ｓは前記容器１の外から内に向って斜めに設定され、
前記挿入孔１７は前記容器１の外から内に向かって斜めに挿入された前記針ハウジング２６の外周面Ｆが嵌合する第１および第２凹面５１，５２で定義され、
前記第１凹面５１は上方に向う凹面を形成し、
前記第２凹面５２は下方に向う凹面を形成し、
前記第１または第２凹面５１，５２の少なくとも一方に前記回転規制部が設けられている。
【０００９】
針ユニット２７を本体ケース３０から取り外すには、挿入孔１７の斜めの軸線Ｓに沿って前記針ユニット２７を前記挿入孔１７に挿入し、前記針ユニット２７の回転を前記回転規制部により規制した状態で前記本体ケース３０を回転させ、前記挿入孔１７に前記針ユニット２７を挿入したままの状態で前記針ユニット２７を前記本体ケース３０から分離する。分離された針ユニット２７は前記収容部１２内に落下する。
したがって、蓋部１０で針ユニット２７を押し込まなくても、針ユニット２７のみを容器内に廃棄することができる。
【図面の簡単な説明】
【００１０】
【図１】図１は本発明の容器の一実施例をデジタル写真で示す分解斜視図である。
【図２】アタッチメントを斜め上方および斜め下方から見た斜視図である。
【図３】同アタッチメントを別の角度から見た斜視図である。
【図４】同アタッチメントの平面図、断面図および底面図である。
【図５】本容器の用い方を示すアタッチメントの断面図である。
【発明を実施するための形態】
【００１１】
好ましくは、前記回転規制部は前記第２凹面５２から突出して前記針ハウジング２６に係合する係合部５３である。
この場合、針ハウジング２６を係合部５３に係合させた状態で本体ケース３０を回転させる。
【００１２】
好ましくは、前記蓋部１０の下面１１には、前記蓋部１０の下面１１から前記収容部１２に向って突出し、前記第２凹面５２の周囲の少なくとも一部を囲い前記収容部１２内の針ユニット２７が前記挿入孔１７から突出するのを抑制する抑制部が一体に形成されている。この場合、第２凹面５２の周囲を囲う抑制部が邪魔板のような役割を果たし、収容部１２内の針ユニット２７が容器１から突出したり、飛び出したりするのを防止する。
【００１３】
好ましくは、前記抑制部は前記第１凹面５１を形成する湾曲部５０と、前記湾曲部５０が配置された部位に対峙して配置された第１立壁６１と、前記湾曲部５０と第１立壁６１との間に配置された第２および第３立壁６２，６３とを備える。
第１〜第３の立壁６１〜６３は邪魔板の役割を果たし、針ユニット２７が容器１から突出したり、飛び出したりするのを確実に防止し易いだろう。
【００１４】
好ましくは、前記湾曲部５０が配置された部位に対峙して配置された第１立壁６１には、前記針２５との干渉を防止するための切り欠き６１ｃが設けられている。
切り欠き６１ｃは針２５が針ハウジング２６から長く突出している場合に、針２５と第１立壁６１とが干渉するのを防止するだろう。
【００１５】
好ましくは、前記第１凹面５１を形成する湾曲部５０の先端には、前記挿入孔１７に向って突出し前記針ハウジング２６の上端面を係合させるための円弧状の突条５０ｔが形成されている。
この場合、針ハウジング２６の上端面を突条５０ｔに係合させ易くなり、針ハウジング２６を容易に落下させることができる。しかも、突条５０ｔは湾曲部５０の強度的な弱点を補う補強部となるだろう。
【００１６】
好ましくは、前記挿入孔１７は前記蓋部１０に設けられた廃棄用の唯一の孔である。
蓋部１０に挿入孔１７よりも大きな貫通孔がある場合、たとえば廃棄用の投入口が別途設けられている場合、当該投入口から針ユニット２７が飛び出すおそれがある。これに対し、挿入孔１７が唯一の孔である場合、容器外へ針ユニット２７が飛び出し難い。
【００１７】
好ましくは、前記挿入孔１７は前記蓋部１０の一部として収容部１２に装着されたアタッチメント７０に形成されている。
この場合、アタッチメント７０を取り替えることで、種々の用途に応じた廃棄用容器を提供できると共に、金型費用を節約できる。
【００１８】
好ましくは、前記蓋部１０の内面には前記係合部５３に直線的に連なる第１リヴ５３１が設けられ、前記蓋部１０の上面には前記第１リヴ５３１の反対側に第２リヴ５３２が設けられている。
この場合、係合部５３に発生する応力で係合部５３が疲労破壊するのを防止できる。
【００１９】
好ましくは、前記第１凹面５１と前記第２凹面５２は、前記軸線Ｓ方向に互いにオフセットされて配置されている。
この場合、注射器の本体ケース３０を軸線Ｓに対し傾けることで、針ハウジング２６を回転規制部に押し当て易い。そのため、針ハウジング２６の取り外し操作が容易になる。
また、金型を上下方向に抜き易く、成型が容易である。
【実施例】
【００２０】
以下、本発明の一実施例を図面にしたがって説明する。
【００２１】
廃棄用の容器を説明するに先立ち、まず、自己注射に用いるための周知のペン型注射器の一例について説明する。
【００２２】
図５に示すように、ペン型注射器は、本体ケース３０と針ユニット２７からなる。針ユニット２７は、針２５と当該針２５の一部を囲繞する針ハウジング２６とを有する。針ハウジング２６は本体ケース３０の先端部にネジ３１により着脱される。
【００２３】
前記ペン型注射器を用いて医薬品の投与を行うには、投与量を該ペン型注射器に設定した後、針２５を患者の体に挿入して、該ペン型注射器内に予め投入された医薬品を患者の体内に投与する。
【００２４】
前記注射を行う毎に、針ユニット２７を本体ケース３０から取り外し、注射を行う度に新たな針ユニット２７を本体ケース３０に装着する。この際、新しい針ユニット２７を収容した針ケースは一般ゴミとして廃棄する。
なお、ペン型注射器の詳しい構造はＪＰ５，３９４，５２０  Ｂ２の図２および段落００１９〜００２０に記載されている。
【００２５】
前記針ユニット２７は、注射を行う毎に取り外して廃棄される。
以下、針ユニット２７の取り外しおよび廃棄を行うための容器１の構造について説明する。
【００２６】
図１に示すように、前記容器１は例えば円筒状の容器であり、収容部１２と、内蓋１３および外蓋１４を含む蓋部１０とを備えている。
前記内蓋１３および外蓋１４は一体に成形され、内蓋１３と外蓋１４の間は薄肉部（ヒンジ）１５となっている。内蓋１３は、収容部１２の上部にネジで螺合しており、外蓋１４は、薄肉部１５を中心に回転可能となっている。
【００２７】
前記内蓋１３は、その上面にアタッチメント７０が装着される開口（貫通口）１６を備えている。アタッチメント７０は蓋部１０の一部を構成する。
【００２８】
前記薄肉部１５は、容器１の背面側に設けられている。容器１内に収納された使用済の針ユニット２７の廃棄を行う場合には、外蓋１４を正面側に向って回動させ、閉じた上で、容器１ごと多数の針ユニット２７を廃棄する。
【００２９】
図１において、前記容器１は、前記針ユニット２７を収容する収容部１２と、前記収容部１２の上部に配置された蓋部１０とが図示しない雄ネジと雌ネジで互いに螺合していてもよいが、樹脂弾性で互いに固く嵌合する構造であってもよい。
【００３０】
図１の内蓋１３の一部を構成するアタッチメント７０には、前記針ユニット２７を前記収容部１２内に挿入する挿入孔１７が形成されている。
【００３１】
図４（ｃ）の前記挿入孔１７の軸線Ｓは前記容器１の外から内に向って斜めに設定されている。図５の  前記挿入孔１７は前記容器１の外から内に向かって斜めに挿入された前記針ハウジング２６の外周面Ｆが嵌合する第１および第２凹面５１，５２で定義される。
【００３２】
前記第１凹面５１は上方に向う凹面を形成する。前記第２凹面５２は下方に向う凹面を形成する。
【００３３】
前記第１または第２凹面５１，５２の少なくとも一方に回転規制部が設けられている。本例の場合、前記回転規制部は前記第２凹面５２から突出して前記針ハウジング２６に係合する係合部５３である。図２（ｂ）の前記係合部５３は図５（ａ）の軸線Ｓに平行に延びる突条であってもよい。
【００３４】
図５において、前記係合部５３は前記針ユニット２７を前記挿入孔１７に挿入し、前記針ユニット２７の回転を規制した状態で前記本体ケース３０を回転させ、前記挿入孔１７に前記針ユニット２７を挿入したままの状態で前記針ユニット２７を前記本体ケース３０から分離するためのものである。
【００３５】
図１において、前記挿入孔１７は前記蓋部１０に設けられた廃棄用の唯一の孔である。
前記挿入孔１７は前記蓋部１０の一部として収容部１２に装着されたアタッチメント７０に形成されている。符号１８はアタッチメント７０の装着突起で、装着後にアタッチメント７０が開口１６から離脱するのを防止する。なお、開口１６およびアタッチメント７０を設けずに、内蓋１３に前記挿入孔を直接設けてもよい。
【００３６】
図３（ｂ）において内蓋１３の内面には前記係合部５３に直線的に連なる第１リヴ５３１が設けられている。
前記内蓋１３の上面には前記第１リヴ５３１の反対側に図３（ａ）の第２リヴ５３２が設けられている。
【００３７】
図５（ａ）に示すように、前記第１凹面５１と前記第２凹面５２は、前記軸線Ｓ方向に互いにオフセットされて配置されている。
【００３８】
図３（ｂ）において、前記蓋部１０の下面１１には、抑制部６１〜６３が設けられている。前記抑制部は、前記蓋部１０の下面１１から前記収容部１２に向って突出し、前記第２凹面５２の周囲の少なくとも一部を囲い前記収容部１２内の針ユニット２７が前記挿入孔１７から突出するのを抑制する。
【００３９】
本例の場合、前記抑制部は前記第１凹面５１を形成する湾曲部５０と、前記湾曲部５０が配置された部位に対峙して配置された第１立壁６１と、前記湾曲部５０と第１立壁６１との間に配置された第２および第３立壁６２，６３とを備える。
なお、第２立壁６２は図１の開口１６に嵌合する周壁の一部であってもよい。
【００４０】
図３（ｂ）において、前記湾曲部５０が配置された部位に対峙して配置された第１立壁６１には、図５の針２５が長い場合に前記針２５との干渉を防止するための切り欠き６１ｃが設けられていてもよい。
【００４１】
図３（ａ）において、前記第１凹面５１を形成する湾曲部５０の先端には、円弧状の突条５０ｔが形成されている。この突条５０ｔは前記挿入孔１７に向って突出し、図５（ｄ），（ｅ）の前記針ハウジング２６の上端面を係合させるためのものである。
【００４２】
つぎに、図５の注射器の本体ケース３０から針ユニット２７を取り外す方法について説明する。
【００４３】
本体ケース３０から針ユニット２７を取り外すには、まず、図５（ａ）および（ｂ）に示すように、針ユニット２７の部分を挿入孔１７に挿入する。この挿入の際には本体ケース３０および針ユニット２７の軸線を挿入孔１７の軸線Ｓに概ね合致させる。
【００４４】
ついで、図５（ｂ）のように、係合部５３に針ハウジング２６の外周面Ｆを係合させるために、ペン型注射器を矢印Ａ方向に若干傾ける。この傾けた状態で、本体ケース３０を矢印Ｒ方向に回転させることで、図５（ｃ）のように、針ハウジング２６に対し本体ケース３０が回転し始める。
【００４５】
前記回転を続けると、図５（ｄ）の本体ケース３０と針ハウジング２６との螺合が解ける（外れる）。しかし、この状態では針ハウジング２６内の針（２５）が本体ケース３０内のゴムに刺さっているため、針ハウジング２６は本体ケース３０から離脱していない。
【００４６】
前記本体ケース３０内のゴムに刺さった針をゴムから抜くために、図５（ｄ）のように、針ハウジング２６の上端面を突条５０ｔに引っ掛ける（係合させる）。その後、この状態で図５（ｅ）のように本体ケース３０を軸線Ｓ方向に引き抜くことで、前記針がゴムから抜け、針ユニット２７が下方に落下する。これにより、針ユニット２７が図１の収容部１２内に収容される。
【００４７】
前記使用後は、図１の外蓋１４を内蓋１３に嵌着させる。収容部１２内に所定量以上の針ユニット２７が留まったら多数の針ユニット２７を容器１ごと医療廃棄物として廃棄する。
【００４８】
前記針ユニット２７は小さく前記収容部１２に多数本収容でき、医療廃棄物の廃棄効率が飛躍的に向上する。すなわち、収容部１２には針ユニット２７のみが収容され、前記針ケースは一般ごみとして廃棄できるので、１つの小さな容器１で多数本の針ユニット２７を廃棄することができる。
【産業上の利用可能性】
【００４９】
本発明はペン型注射器の針ユニット２７の廃棄用容器として用いることができる。
【符号の説明】
【００５０】
１：容器  １０：蓋部  １１：下面  １２：収容部  １３：内蓋  １４：外蓋  
１５：ヒンジ  １６：開口  １７：挿入孔  １８：装着突起
２５：針  ２６：針ハウジング  ２７：針ユニット
３０：本体ケース  ３１：雄ネジ
５０：湾曲部  ５０ｔ：突条
５１：第１凹面  ５２：第２凹面  ５３：係合部  
６１：第１立壁  ６２：第２立壁  ６３：第３立壁  ６１ｃ：切り欠き
７０：アタッチメント
５３１：第１リヴ  ５３２：第２リヴ  
Ｆ：外周面  Ｓ：軸線
Ａ，Ｒ：方向
【図１】
2018187138.tif 000003
【図２】
2018187138.tif 000004
【図３】
2018187138.tif 000005
【図４】
2018187138.tif 000006
【図５】
2018187138.tif 000007